(57)【要約】【課題】多機能な試験器を不要とし、試験器に要する費用を低減すると共に試験を容易に行うことを可能とし、また、試験条件の設定により試験対象に応じた試験値を自動計算させて対応する試験対象に与えることで試験に要する手間を大幅に低減できるデジタル保護継電器の試験装置を提供する。【解決手段】入力変換器の入力側に接続可能な電圧・電流発生器と、前記電圧・電流発生器の入力側、前記入力変換器の入力側、及び前記Ａ／Ｄ変換器と前記リレー要素演算部との間に接続可能な試験器とを備える試験装置において、試験器にデジタル保護継電器の試験に必要な各種データを記憶したデータベースを設け、設定された試験条件から試験に必要な各種データをデータベースから抽出し、抽出されたデータに基づき試験値を自動計算させ、設定された試験対象に応じて決定される接続箇所に対して試験値を所定の信号形式で与える。【選択図】      図２
2009171723.tif 000002
【特許請求の範囲】
【請求項１】
電力系統からの電気量を入力する入力変換器と、前記入力変換器で入力されたアナログ量をデジタル量に変換するＡ／Ｄ変換器と、前記デジタル量によりリレー要素を動作させ、該リレー要素の動作信号を出力するリレー要素演算部と、前記リレー要素演算部で演算されたリレー動作信号に基づきシーケンス処理を実行するシーケンス処理部と、前記シーケンス処理の結果を出力する出力処理部とを具備するデジタル保護継電器に用いられる試験装置であって、
前記入力変換器の入力側に接続可能な電圧・電流発生器と、
前記電圧・電流発生器の入力側、前記入力変換器の入力側、及び前記Ａ／Ｄ変換器と前記リレー要素演算部との間に接続可能な試験器と
を備え、前記試験器は、
前記デジタル保護継電器の試験に必要な各種データを記憶したデータベースと、
前記デジタル保護継電器の試験対象を含む試験条件を設定する試験条件設定手段と、
前記試験条件設定手段で設定された試験条件から試験に必要な各種データを前記データベースから抽出するデータ抽出手段と、
抽出されたデータに基づき試験値を自動計算させる試験値演算手段と、
前記試験対象に応じて決定される前記試験器の接続箇所に前記試験値を所定の信号形式で与える試験値供給手段と
を具備することを特徴とするデジタル保護継電器の試験装置。
【請求項２】
前記試験対象が前記デジタル保護継電器のリレー要素であれば、前記試験値供給手段は、前記Ａ／Ｄ変換器と前記リレー要素演算部との間に対して試験値のデジタル信号を供給することを特徴とする請求項１記載のデジタル保護継電器の試験装置。
【請求項３】
前記試験対象が前記デジタル保護継電器の全体であれば、前記試験値供給手段は、前記入力変換器の入力側に対して試験値のアナログ信号を供給することを特徴とする請求項１記載のデジタル保護継電器の試験装置。
【請求項４】
前記試験対象が前記デジタル保護継電器の入力変換器であれば、前記試験値供給手段は、前記入力変換器の入力側に接続された電圧・電流発生器に対して試験値のデジタル信号を供給するか、前記入力変換器の入力側に対して試験値のアナログ信号を直接供給することを特徴とする請求項１記載のデジタル保護継電器の試験装置。
【請求項５】
前記デジタル保護継電器の与えられた試験値に対して得られる出力データを取り込み、この出力データに基づき良否判定を行い、その結果を試験データとして保存する試験データ保存手段を更に具備することを特徴とする請求項１記載のデジタル保護継電器の試験装置。
【請求項６】
前記試験値供給手段は、試験値を記憶する試験値記憶手段を有し、前記試験器は、前記試験値記憶手段に記憶された試験値を利用して試験を行うことを可能とする請求項１記載のデジタル保護継電器の試験装置。
【発明の詳細な説明】
【技術分野】
【０００１】
本発明は、電力系統の保護に用いられるデジタル保護継電器を試験するために利用可能な試験装置に関する。
【背景技術】
【０００２】
デジタル保護継電器は、一般的に、電力系統からの電気量を入力する入力変換器と、この入力変換器に入力されたアナログ量をデジタル量に変換するＡ／Ｄ変換器と、前記デジタル量によりリレー要素を動作させ、該リレー要素の動作信号を出力するリレー要素演算部と、前記リレー要素演算部で演算されたリレー動作信号に基づいてシーケンス処理を実行するシーケンス処理部と、前記シーケンス処理の結果を出力する出力処理部（ＤＯ）とを有し、例えば送電線に流れる電流や電圧等の電気量を必要なレベルに変換した上でデジタル信号に変換し、その後演算を実行し、その演算結果を基に予め整定された動作整定値と比較して事故の有無を判定し、事故と判定された場合に遮断器にトリップ指令を出力する機能を有している。
【０００３】
従来、このデジタル保護継電器が正常に機能するか否かを試験する場合には、入力変換器の入力側に設けられた試験用端子（ＣＴＴ，ＰＴＴ）に試験用の電圧・電流を与える電圧・電流発生器を接続し、この電圧・電流発生器からさまざまな試験用の電圧・電流をアナログ量の形で供給して試験を行うようにしている。
【０００４】
また、試験条件の都度、条件設定をたびたび行う手間を解消するための自動試験方法も開発されている。例えば、下記する特許文献１に示される構成例においては、保護継電器に試験を行うための電圧、電流を与える電圧・電流発生器に対して保護継電器の自動試験を行うために必要な電流・電圧値を与える制御ユニットを設け、この制御ユニットに情報処理装置を接続して試験に必要な各種データを入力したり、制御ユニットから試験データを取り込んで試験結果を表示するデータを処理したりする等の構成が開示されている。
【特許文献１】特開２０００―１８４５７４号公報
【発明の開示】
【発明が解決しようとする課題】
【０００５】
しかしながら、従来においては、保護継電器の特性を確認するために、３相電圧・電流を発生することができると共に様々な条件設定が行える多機能な試験器（例えば、外部からのトリップ信号入力部や急変機能、ミリセコンド計等を内蔵したもの）が必要となり、現地に多数の試験器材を搬入して試験内容に応じた試験器材の結線作業を行った上でそれぞれの試験器材を調整する必要があるため、試験器に高額な費用が必要となり、また、試験器材の搬入や、取り付け、交換、調整作業等に多くの手間を要していた。
【０００６】
上述した特許文献１に示される構成においては、保護継電器の試験を行うために必要な電流・電圧値を与える制御ユニットをパソコンで制御するようにしているので、試験器材の取り付けや交換にかかる手間を省くことは可能であるが、自動試験を行うために必要な電流・電圧値を与える制御ユニットに対して試験に必要な各種データを入力したり、制御ユニットから試験データを取り込んで試験結果を表示したりする機能を有するだけであり、試験対象（リレー内部か、入力変換器か、保護継電器全体か）に応じた効率的な試験を行うことができるものではなかった。
【０００７】
本発明は、上述のような事情に鑑みてなされたものであり、多機能な試験器を不要とし、試験器に要する費用を低減すると共に試験を容易に行うことを可能とし、また、試験条件の設定により試験対象に応じた試験値を自動計算させて対応する試験対象に与えることで効率的な試験を行うことができ、試験に要する手間を大幅に低減することが可能なデジタル保護継電器の試験装置を提供することを主たる課題としている。
【課題を解決するための手段】
【０００８】
上記課題を達成するために、本発明に係るデジタル保護継電器の試験装置は、電力系統からの電気量を入力する入力変換器と、前記入力変換器で入力されたアナログ量をデジタル量に変換するＡ／Ｄ変換器と、前記デジタル量によりリレー要素を動作させ、該リレー要素の動作信号を出力するリレー要素演算部と、前記リレー要素演算部で演算されたリレー動作信号に基づきシーケンス処理を実行するシーケンス処理部と、前記シーケンス処理の結果を出力する出力処理部とを具備するデジタル保護継電器に用いられる試験装置であって、前記入力変換器の入力側に接続可能な電圧・電流発生器と、前記電圧・電流発生器の入力側、前記入力変換器の入力側、及び前記Ａ／Ｄ変換器と前記リレー要素演算部との間に接続可能な試験器とを備え、前記試験器は、前記デジタル保護継電器の試験に必要な各種データを記憶したデータベースと、前記デジタル保護継電器の試験対象を含む試験条件を設定する試験条件設定手段と、前記試験条件設定手段で設定された試験条件から試験に必要な各種データを前記データベースから抽出するデータ抽出手段と、抽出されたデータに基づき試験値を自動計算させる試験値演算手段と、前記試験対象に応じて決定される前記試験器の接続箇所に前記試験値を所定の信号形式で与える試験値供給手段とを具備することを特徴としている。
【０００９】
したがって、各種試験に必要な関連データをデータベースに記憶しておき、このデータベースから試験条件設定手段によって設定された試験条件に対応するデータがデータ抽出手段によって抽出され、試験値演算手段により抽出されたデータに基づき試験値が自動計算され、試験値供給手段により試験対象に応じて決定される接続箇所に対して試験値が出力されるので、試験器材を交換、結線し直して各種試験を行う必要がなくなり、また、試験値が自動計算されるので、人的作業を大幅に低減することが可能となる。
【００１０】
ここで、試験対象が前記デジタル保護継電器のリレー要素であれば、前記試験値供給手段は、前記Ａ／Ｄ変換器と前記リレー要素演算部との間に対して試験値のデジタル信号を供給するようにし、試験対象が前記デジタル保護継電器の全体であれば、前記試験値供給手段は、前記入力変換器の入力側に対して試験値のアナログ信号を供給するようにしてもよい。
【００１１】
また、試験対象が前記デジタル保護継電器の入力変換器であれば、前記試験値供給手段は、前記入力変換器の入力側に接続された電圧・電流発生器に対して試験値のデジタル信号を供給するか、前記入力変換器の入力側に対して試験値のアナログ信号を直接供給するようにしてもよい。
【００１２】
さらに、前記デジタル保護継電器の与えられた試験値に対して得られる出力データを取り込み、この出力データに基づき良否判定を行い、その結果を試験データとして保存する試験データ保存手段を具備するようにしても、試験値供給手段に試験値を記憶する試験値記憶手段を設け、試験器はこの試験値記憶手段に記憶された試験値を利用して試験を行うことを可能にしてもよい。
【発明の効果】
【００１３】
以上述べたように、本発明によれば、デジタル保護継電器の入力変換器の入力側に接続可能な電圧・電流発生器と、この電圧・電流発生器の入力側、デジタル保護継電器の入力変換器の入力側、及びデジタル保護継電器のＡ／Ｄ変換器とリレー要素演算部との間に接続可能な試験器とを備え、この試験器により試験条件を設定し、設定された試験条件から試験に必要な各種データをデータベースから抽出し、この抽出されたデータに基づき試験値を自動計算させ、設定された試験対象に応じた試験器の接続箇所に対して前記試験値を所定の信号形式で与えるようにしたので、多機能な試験器が不要になると共に、リレー要素の試験を条件設定だけで簡易に行うことが可能となる。また、試験条件の設定により試験対象に応じた試験値を自動計算させて対応する試験対象に与えることで、効率的な試験を行うことが可能となり、人的処理を大幅に削減でき、試験に要する手間を大幅に低減することが可能になる。
【発明を実施するための最良の形態】
【００１４】
以下、本発明の最良の実施形態を添付図面を参照しながら説明する。
【００１５】
図１において、デジタル保護継電器のブロック構成図とこれに用いられる試験装置の概略構成が示されている。デジタル型保護継電器１は、電力系統の電気量である電圧が図示しない計器用変圧器（ＰＴ）で検出され、また電流が図示しない計器用変流器（ＣＴ）で検出されてアナログ量として取り込まれ、入力変換器２に入力される。この入力されたアナログ量は、入力変換器２においてデジタル型保護継電器で取り扱える電気信号に変換され、この変換された電気信号は、Ａ／Ｄ変換器３に入力されて、デジタル量に変換される。
【００１６】
Ａ／Ｄ変換器３でデジタル量に変換された入力電気量は、リレー要素演算部４に読み込まれ、ここでリレー演算処理が実施される。即ち、読み込まれたデジタル量に基づいてリレー要素を動作させるリレー演算処理を行い、デジタル量が予め定められた整定値を逸脱するときは電力系統に事故が発生したと判断して、リレー動作信号をシーケンス処理部５に対して出力する制御処理が行われる。
【００１７】
そして、シーケンス処理部５においては、リレー動作信号に基づきシーケンス処理が実行される。このシーケンス処理に必要な現地機器からの情報（遮断機のパレット信号等）は、入力処理部（ＤＩ）６から入力され、シーケンス処理部５は、電力系統の保護区間の遮断器に対して出力処理部（ＤＯ）７を介してトリップ信号を出力する。
【００１８】
したがって、電気系統に事故が発生した場合には、リレー要素演算部４のリレー演算処理によりリレー動作信号が出力され、シーケンス処理部５でシーケンス処理が実施され、出力処理部（ＤＯ）７から電力系統の事故区間の遮断器に対し、トリップ信号を出力して遮断器の引き離しコイルを励磁して主接点を開成し、電力系統の保護を行う。尚、リレーの動作情報などの保護継電器１の動作情報は、出力処理部（ＤＯ）８から出力端子（ＯＵＴ）９を介して取り出すことができるようになっている。
【００１９】
このようなデジタル保護継電器１が正常に機能するか否かを試験するために、入力変換器２の入力側であるＰＴＴ（試験用電圧端子），ＣＴＴ（試験用電流端子）に接続されて試験用の電圧、電流を与える電圧・電流発生器１０と、この電圧・電流発生器１０の入力側、入力変換器２の入力側であるＰＴＴ，ＣＴＴ、Ａ／Ｄ変換器３とリレー要素演算部４との間に接続される入力端子（ＩＮ）１１、及び出力処理部（ＤＯ）８に接続される出力端子（ＯＵＴ）９に接続可能な試験器１２とを備えている。
【００２０】
図２に試験器１２の詳細構成が示されている。この試験器１２は、デジタル保護継電器１の試験に必要な各種データを記憶したデータベース１３と、外部に設けられたデータ管理システム１４や図示しないパーソナルコンピュータ等のデータ処理装置に接続され、外部との間でデータを送受信する伝送インターフェイス（伝送Ｉ／Ｆ）１５と、前記デジタル保護継電器１の試験対象を含む試験条件を設定する試験条件設定部１６と、試験条件設定部１６で設定された試験条件に基づき関係するデータをデータベース１３から抽出する等の処理を行うデータ制御部１７と、抽出されたデータに基づき試験値を自動計算させる演算部１８と、演算された試験値を保護継電器１の試験対象に応じてデジタル信号の形式で出力する出力部１９と、出力部１９から出力されるデジタル信号を電圧・電流発生器１０、又は、保護継電器１に対して出力すると共に保護継電器１からの出力データを入力するための試験器インターフェイス（試験器Ｉ／Ｆ）２０と、出力部１９から出力されるデジタル信号に基づき、下記するアンプ部を制御するための制御信号（デジタル信号）を出力するアンプ制御部（ＡＭＰ制御部）２１と、このアンプ制御部２１から出力された制御信号（デジタル信号）に基づき、電圧・電流発生器１０に対して動作設定用のデジタル信号を出力したり、内蔵された電圧・電流発生器により所定の電圧・電流値（アナログ信号）を生成して保護継電器１のＰＴＴ，ＣＴＴ端子に直接出力するアンプ部（ＡＭＰ部）２２と、保護継電器１の与えられた試験値に対して得られる出力データを前記試験器インターフェイス２０を介して取り込む入力部２３と、入力部２３に入力された保護継電器１からの出力データをデータ制御部１７によりデータベース１３から抽出された判定基準と比較し良否判定を行う良否判定部２４と、この良否判定部２４での良否判定結果を試験データとして保存する試験データ格納部２５とを備える。
尚、上記出力部１９、試験器Ｉ／Ｆ２０、ＡＭＰ制御部２１、ＡＭＰ部２２により、演算された試験値を保護継電器１の試験対象に応じて決定される箇所（電圧・電流発生器１０の入力側、入力変換器２の入力側であるＰＴＴ，ＣＴＴ、Ａ／Ｄ変換器３とリレー要素演算部４との間に接続される入力端子１１）に対して所定の信号形式で出力する手段が構成されている。
【００２１】
前記データベース１３は、例えば、
図３に示されるような系統データ（路線名に対応付けられた回線数、区間、亘長、インピーダンスなどの線路に関するデータや、電気所名及び線路名に対応付けられたＣＴ比、ＰＴ比などの電気所に関するデータ）が格納されている系統データデータベース１３ａと、
図４に示されるようなリレー毎の整定値のデータ（電気所の線路名毎に対応付けられたリレー種類、リレーデバイス、整定値などのデータ）が格納されているＲｙ整定票データベース１３ｂと、
図５に示されるようなリレーの種類によって異なる試験を実行するために必要となる入力すべき電気量（電流や電圧）を記録する試験記録データベース１３ｃと、
図６に示されるような試験基準に関するデータが格納された試験基準データベース１３ｄとを備える。
そして、データベース１３に記憶されている諸データは、データ管理システム１４から最新のデータを伝送インターフェイス１５を介してダウンロードすることで更新されるようになっている。
【００２２】
以上の構成において、次に、保護継電器１の試験方法を図７に示されるフローチャートに基づいて説明する。
先ず、データ管理システム１４から、最新のデータをダウンロードしてデータベース１３の各種データを予め更新しておく（Ｓ１）。
【００２３】
また、試験条件設定部１６で利用者が試験対象を含む試験条件を設定し、試験を開始する操作を行う（Ｓ２）。この試験条件設定部１６においては、保護継電器１の試験対象、リレーの種類、リレーの構造、試験の種類などが設定される。ここで、試験対象の設定においては、試験対象がリレー内部であるのか、入力変換器であるのか、保護継電器全体であるのか等を設定する。また、リレーの種類の設定においては、回線選択リレーであるのか、距離リレーであるのか、過電流リレーであるのかを設定する。リレーの構造の設定においては、リレーがメカ式であるのかデジタル式であるのかを設定する。試験の種類の設定においては、リレー点検であるのか、電力系統の所定のポイントのリレーの応動を見たい場合であるのか等を設定する。
【００２４】
以上のように試験条件を設定して試験を開始すると、試験器１２は、データ制御部１７でデータベース１３から関係するデータを抽出する。これにより試験のルートが決定される。リレー点検の試験では、データベース１３のなかのＲｙ整定票データベース１３ｂと試験基準データベース１３ｄから必要データが抽出され、電力系統の所定のポイントのリレーの応動を見る試験であれば、系統データデータベース１３ａから必要データが抽出される（Ｓ３）。
そして、抽出されたデータに基づき、演算部１８で試験対象に与える試験値を算出する（Ｓ４）。
【００２５】
その後、試験条件設定部１６で設定された試験対象が保護継電器１の全体であるのか、入力変換器２であるのか、リレー要素であるのかが判定され（Ｓ５）、判定結果に基づき、設定された試験対象に対して予め決められた出力形式（アナログ信号出力、デジタル信号出力）で試験値が与えられる。
【００２６】
即ち、設定された試験対象が保護継電器１の全体である場合には、出力部１９から出力されるデジタル信号に基づき、ＡＭＰ制御部２１はＡＭＰ部２２に対して指定の電圧、電流を発生させるように指示し、ＡＭＰ部２２はこの指示を受けて内蔵された電圧・電流発生器により所定の電圧、電流を生成し、この生成されたアナログ信号（アナログ電圧、電流）を保護継電器１の入力変換器２の入口部分であるＰＴＴ、ＣＴＴ端子に与える（Ｓ６）。
また、設定された試験対象がリレー要素である場合には、出力部１９から出力されるデジタル信号を試験器インターフェイス２０を介して出力し、このデジタル信号をＡ／Ｄ変換器３とリレー要素演算部４との間に接続された入力端子（ＩＮ）１１に与える（Ｓ７）。
【００２７】
さらに、設定した試験対象が入力変換器２である場合には、出力部１９から試験器インターフェイス２０を介してデジタル信号を設定値として電圧・電流発生器１０に与え、電圧・電流発生器１０は、この信号を受けて入力変換器２の入口部分であるＰＴＴ、ＣＴＴ端子に対して試験用のアナログ信号（アナログ電圧、電流）を出力する。または、出力部１９から出力されるデジタル信号に基づき、ＡＭＰ制御部２１からの制御信号を受けてＡＭＰ部２２から出力される設定値としてのデジタル信号を電圧・電流発生器１０に与え、電圧・電流発生器１０は、この信号を受けて入力変換器２の入力部分であるＰＴＴ、ＣＴＴ端子に対して試験用のアナログ信号を出力する。若しくは、アンプ部２２に内蔵された電圧・電流発生器により試験用のアナログ信号（アナログ電圧、電流）を生成し、このアナログ信号を入力変換器２の入力部分であるＰＴＴ、ＣＴＴ端子に対して直接出力する。
尚、上述した電圧・電流発生器１０へ与えられる設置値の信号形式（デジタル信号又はアナログ信号）は、試験条件設定部１６で予め設定される。
【００２８】
以上のように、設定された試験対象に対して試験値が出力されると、保護継電器１は入力された試験値に基づき所定の動作がなされてトリップ情報や動作情報、入力変換器の試験結果が出力されるので、このトリップ情報や動作情報、試験結果を保護継電器１の出力処理部（ＤＯ）８から試験器インターフェイス２０を介して入力部２３に取り込む（Ｓ９）。
【００２９】
そして、入力部２３に取り込まれたトリップ情報、動作情報、試験結果を、試験対象に応じてデータ制御部１７によりデータベース１３から抽出された判定基準に基づき良否判定し（Ｓ１０）、その結果を試験データとして試験データ格納部２５に保存する（Ｓ１１）。この試験データ格納部２５に格納された試験データは、伝送インターフェイス１５を介して試験器１２に接続された図示しないデータ処理装置等に出力できるようになっている。
【００３０】
したがって、上述の構成によれば、各種試験に必要な関連データをデータベース１３に記憶しておき、このデータベース１３から試験条件設定部１６によって設定された試験条件に対応するデータが抽出され、抽出されたデータに基づき試験値が自動計算され、試験対象に応じて対応する接続箇所に対して試験値が所定の信号形式（アナログ信号又はデジタル信号）で出力されるので、種々の試験器材を現地に搬入し、試験器材を交換、結線し直して各種試験を行う必要がなくなり、多機能な試験器が不要になる。
また、試験条件の設定だけで試験対象に応じた試験値が自動計算されて、対応する試験対象に与えられるので、効率的な試験を行うことができ、人的作業を大幅に削減して試験に要する手間を大幅に低減することが可能になる。
【００３１】
尚、上述の構成において、電圧・電流発生器を内蔵したアンプ部２２は、指定の電圧・電流を発生させるために変圧器や抵抗器などを内蔵させる必要があることからサイズが大きくなるので、この部分は試験器１２から切り離し可能とし、コンパクトな試験器１２を構成するようにしてもよい。
【００３２】
また、出力部１９から出力されるデジタル信号（ＡＭＰ制御部２１へ出力されるデジタル信号や試験器Ｉ／Ｆ２０を介して電圧・電流発生器１０へ出力されるデジタル信号としての試験値）を記憶する試験用データ記憶部３０を設け、過去に行った各種試験で出力されたデジタル信号（試験値）を記憶させておき、後の試験にこれを再利用するようにしてもよい。保護継電器１を新たに設置する場合には、所定の動作が行われることを確認するために、多岐に亘る各種パターンの受け入れ試験が行われる。このときに出力部１９から出力される各種試験のデジタル信号を試験用データ記憶部３０に記憶させておき、後の試験に再利用すれば、試験設定の手間がさらに省け、効率的な試験を行うことが可能となる。
この際、出力部１９から出力される試験用のデジタル信号（試験値）を記憶させるために、試験用データ記憶部３０を新たに設けた例を示したが、前記試験データ格納部２５へ記憶させておき、これを利用するようにしてもよい。また、記憶させたデジタル信号（試験値）をＡＭＰ部２２の特性変化を考慮して適宜補正して使用するようにしてもよい。
【図面の簡単な説明】
【００３３】
【図１】図１は、デジタル保護継電器と試験装置との接続状態を示すブロック図である。
【図２】図２は、図１の試験器の詳細を示すブロック図である。
【図３】図３は、系統データデータベースの構成例を示す図である。
【図４】図４は、Ｒｙ整定票データベースの構成例を示す図である。
【図５】図５は、試験記録データベースの構成例を示す図である。
【図６】図６は、試験基準データベースの構成例を示す図である。
【図７】図７は、試験の手順を示すフローチャートである。
【符号の説明】
【００３４】
１  保護継電器
１０  電圧・電流発生器
１２  試験器
１３  データベース
１６  試験条件設定部
１７  データ制御部
１８  演算部
１９  出力部
３０  試験用データ記憶部
【図１】
2009171723.tif 000003
【図２】
2009171723.tif 000004
【図３】
2009171723.tif 000005
【図４】
2009171723.tif 000006
【図５】
2009171723.tif 000007
【図６】
2009171723.tif 000008
【図７】
2009171723.tif 000009